(57)【要約】【課題】シート背面にテーブル構造を備えた車両用シートにおいて、テーブルを使用する際に照明の光が使用者の目に直接入りにくくする。【解決手段】テーブル構造２０は、相対的に上方において基端３２がシート背面１４ｂに回動可能に支持された上側テーブル板３０と、相対的に下方において基端５２がシート背面１４ｂに回動可能に支持された下側テーブル板５０との二枚のテーブル板を備えており、シート背面１４ｂから張り出して上面をテーブル面３６，５６として使用可能な使用状態と、シート背面１４ｂに沿う格納状態とに配置切替え可能とされている。上側テーブル板３０は先端３４が下方に回動することにより使用状態から格納状態に配置切替え可能とされており、使用状態でテーブル面３６とは反対側の下面側に照明装置４０が設けられている。【選択図】図４
2010111345.tif 000002
【特許請求の範囲】
【請求項１】
シート背面にテーブル構造を備えた車両用シートであって、
前記テーブル構造は、相対的に上方において基端がシート背面に回動可能に支持された上側テーブル板と、相対的に下方において基端がシート背面に回動可能に支持された下側テーブル板との二枚のテーブル板を備えており、該二枚のテーブル板は先端が前記シート背面から張り出して上面をテーブル面として使用可能な使用状態と、シート背面に沿う格納状態とに配置切替え可能とされ、前記上側テーブル板は先端が下方に回動することにより使用状態から格納状態に配置切替え可能とされており、前記下側テーブル板は先端が上方に回動することにより使用状態から格納状態に配置切替え可能とされており、前記上側テーブル板には使用状態でテーブル面とされる上面とは反対側の下面側に照明装置が設けられていることを特徴とする車両用シート。
【請求項２】
請求項１に記載の車両用シートであって、
前記照明装置は、前記上側テーブル板の使用状態では後方を照明可能で、格納状態では下方を照明可能に設けられていることを特徴とする車両用シート。
【請求項３】
請求項１または請求項２に記載の車両用シートであって、
前記上側テーブル板は、使用状態におけるシート背面からの張り出し長さが前記下側テーブル板より短く、格納状態において前記シート背面と格納状態の前記下側テーブル板との間に収納されることを特徴とする車両用シート。
【発明の詳細な説明】
【技術分野】
【０００１】
本発明は、車両用シートに関する。より詳しくは、シート背面にテーブル構造を備えた車両用シートに関する。
【背景技術】
【０００２】
シート背面に該シートの後席の着座者が利用することのできるテーブルを備えた車両用シートは、例えば、下記特許文献１に開示されている。この下記特許文献１に記載のシートのヘッドレストの背面には、不使用時にはヘッドレストの背面に沿って閉止することのできるカップホルダー兼テーブルが備えられている。このカップホルダー兼テーブルは、下側に開いて水平にすることのできる板体からなる扉兼テーブル部と、上側に開いて水平にすることのできる板体に飲料缶を挿入可能な挿入孔を形成してなるカップホルダーとを備えている。このカップホルダー兼テーブルは、扉兼テーブル部とともにカップホルダーを開くとカップホルダーとして使用することができる。つまり、飲料缶を相対的に上方に位置するカップホルダーの挿入孔に挿通して缶底を相対的に下方に位置する扉兼テーブル部に載置すれば飲料缶を保持することができる。また、このカップホルダー兼テーブルは、扉兼テーブル部のみを開けばテーブルとして使用することができ、メモ帳を置いたり、読書台として利用することができる。このヘッドレストの背面には、カップホルダーより上方にライトが設けられており、テーブルとして使用する際等に照明することも可能となっている。
【０００３】
【特許文献１】登録実用新案第３０６２９５８号公報
【発明の開示】
【発明が解決しようとする課題】
【０００４】
しかしながら、ライトがテーブルより上方のヘッドレストの背面に設けられているため、ライトの光がテーブルの使用者の目に直接入ることが懸念される。
【０００５】
そこで、本発明は、シート背面にテーブル構造を備えた車両用シートにおいて、テーブルを使用する際に照明の光が使用者の目に直接入りにくくすることを課題とした。
【課題を解決するための手段】
【０００６】
本発明は、上記課題を解決するために以下の手段をとる。
第１の発明は、シート背面にテーブル構造を備えた車両用シートであって、前記テーブル構造は、相対的に上方において基端がシート背面に回動可能に支持された上側テーブル板と、相対的に下方において基端がシート背面に回動可能に支持された下側テーブル板との二枚のテーブル板を備えており、該二枚のテーブル板は先端が前記シート背面から張り出して上面をテーブル面として使用可能な使用状態と、シート背面に沿う格納状態とに配置切替え可能とされ、前記上側テーブル板は先端が下方に回動することにより使用状態から格納状態に配置切替え可能とされており、前記下側テーブル板は先端が上方に回動することにより使用状態から格納状態に配置切替え可能とされており、前記上側テーブル板には使用状態でテーブル面とされる上面とは反対側の下面側に照明装置が設けられていることを特徴とする。
【０００７】
第１の発明によれば、上側テーブル板には使用状態でテーブル面とされる上面とは反対側の下面側に照明装置が設けられており、下側テーブル板を使用する際には上側テーブル板がシェード代わりとなるため、照明の光が使用者の目に直接入りにくい。
【０００８】
第２の発明は、上記第１の発明に記載の車両用シートであって、前記照明装置は、前記上側テーブル板の使用状態では後方を照明可能で、格納状態では下方を照明可能に設けられていることを特徴とする。
【０００９】
第２の発明によれば、照明装置は上側テーブル板の配置に応じて異なる方向を照明することが可能である。上側テーブル板の使用状態では後方を照明し、例えば、後方の着座者の読書灯として機能する一方、上側テーブル板の格納状態では下方を照明し、後方の着座者の足元照明として機能させることが可能である。つまり、回動して配置切替え可能とされた上側テーブル板に付随する照明装置によれば、二通りの機能を奏することが可能となっている。
【００１０】
第３の発明は、上記第１または第２の発明に記載の車両用シートであって、前記上側テーブル板は、使用状態におけるシート背面からの張り出し長さが前記下側テーブル板より短く、格納状態において前記シート背面と格納状態の前記下側テーブル板との間に収納されることを特徴とする。
【００１１】
第３の発明によれば、使用状態においては、上側テーブル板の張り出し長さは下側テーブル板の張り出し長さより短く、下側テーブル板の上での作用性を損ないにくい。格納状態においては、上側テーブル板が前記シート背面と格納状態の前記下側テーブル板との間に収納されるためよりテーブル構造全体をよりコンパクトにすることができる。
【発明の効果】
【００１２】
上記第１の発明によれば、下側テーブル板を使用する際に照明の光が使用者の目に直接入りにくい。
上記第２の発明によれば、照明装置は、上側テーブル板の配置に応じて異なる方向を照明することが可能であり、二通りの機能を奏することが可能である。
上記第３の発明によれば、使用状態において下側テーブル板の上での作用性を損ないにくく、格納状態におけるテーブル構造全体をよりコンパクトにすることが可能である。
【発明を実施するための最良の形態】
【００１３】
以下、図面を参照しながら本発明の一実施形態について説明する。本実施形態のシート１０は、複数列の座席を備える自動車等の車両において、その後方に座席のある位置に設置され、例えば、前後２列の座席を備える自動車の前部座席として装備される。各図において矢印で示されるＦ，Ｕはシート１０の前方，上方を示している。以下の説明においては、本実施形態のシート１０との位置関係で、このシート１０の直ぐ後ろに設けられたシート（図示省略）を後ろ側シートと称することがある。
【００１４】
シート１０は、図１等に示されるように、背凭れとなるシートバック１４とヘッドレスト１６とを備えているとともに、座面となるシートクッション（図示省略）を備えている。これらの構成部材における着座者の支持に関する構成は従来から変更を要しない。シートバック１４の背凭れ面１４ａは発泡ウレタン等のパッド１５（図１０参照）で形成されている。図１等に示されるように、シートバック１４の背凭れ面１４ａとは反対側のシート背面１４ｂ、すなわち後ろ側シートの着座者に面するシート背面１４ｂは、ポリプロピレン樹脂等の硬質の合成樹脂で形成されたバックボード１８で構成されている。シート１０は、後ろ側シートの着座者が使用することのできるテーブル構造２０をバックボード１８に備えている。本実施形態のシート１０は、このテーブル構造２０に特徴を有する。
【００１５】
図１に示されるように、テーブル構造２０は、上側テーブル板３０と下側テーブル板５０との二枚の板状部材を備えている。上側テーブル板３０は下側テーブル板５０よりも上方において基端３２がシート背面１４ｂに回動可能に支持されている。下側テーブル板５０は、上側テーブル板３０よりも下方において基端５２がシート背面１４ｂに回動可能に支持されている。
【００１６】
上側テーブル板３０は、図１，図４に示されるように、先端３４が後方へ張り出した状態において上面３６をテーブル面として使用することが可能となっている。この先端３４が後方へ張り出した状態を「使用状態」と称する。上側テーブル板３０は、図４に二点鎖線で示されるように、先端３４が下方に回動することにより、図５，図２等に示されるようにシート背面１４ｂに沿う状態に配置切替え可能となっている。このシート背面１４ｂに沿う状態を「格納状態」と称する。図４等に示されるように、上側テーブル板３０にはテーブル面３６とは反対側の下面側に照明装置４０が設けられている。この照明装置４０の構成については後で詳述するが、図４に示されるように上側テーブル板３０の使用状態では後方に指向し、図７に示されるように上側テーブル板３０の格納状態では下方に指向するように上側テーブル板３０の下面側に組み付けられている。
【００１７】
下側テーブル板５０は、図１，図２，図４，図５に示されるように、先端５４が後方へ張り出した状態において上面５６をテーブル面として使用することが可能となっている。この先端５４が後方へ張り出した状態を「使用状態」と称する。下側テーブル板５０は、図５に二点鎖線で示されるように、先端５４が上方に回動することにより、図６，図３等に示されるようにシート背面１４ｂに沿う状態に配置切替え可能となっている。このシート背面１４ｂに沿う状態を「格納状態」と称する。
【００１８】
テーブル構造２０では、図１等に示される上側テーブル板３０と下側テーブル板５０とが使用状態とされた「上下テーブル使用状態」と、図２等に示される上側テーブル板３０が格納状態で下側テーブル板５０が使用状態とされた「下側テーブルのみ使用状態」と、図３，図６等に示される上側テーブル板３０と下側テーブル板５０とが格納状態とされた「完全格納状態」との３態様をとることが可能となっている。このテーブル構造２０においては、図６に示されるように、完全格納状態において、上側テーブル板３０がシート背面１４ｂと下側テーブル板５０との間に収納される。
【００１９】
本実施形態では、テーブル構造２０は上側テーブル板３０と下側テーブル板５０とが予めユニット台座２４に組み付けられてテーブルユニット２２を構成し、該テーブルユニット２２がバックボード１８に取り付けられている。図１０，図１１等に示されるように、バックボード１８におけるテーブルユニット２２の取り付け位置には、テーブルユニット２２を嵌め込むことのできる凹部１９が形成されている。バックボード１８には、凹部１９内から凹部１９の下方にかけて上下方向に沿って溝１８ｍが連続形成されている。ユニット台座２４は溝１８ｍを含む凹部１９の表面形状に沿う形状である。テーブルユニット２２は凹部１９に嵌め込まれ、締着または接着等の適宜の固定手段によりバックボード１８に取り付けられている。かかる取り付け状態において、テーブルユニット２２は、完全格納状態で上方及び側方の周囲とはほとんど段差の無い調和した面を形成している。テーブルユニット２２の下部においてはバックボード１８の溝１８ｍとの間に段差が生じており、テーブルユニット２２の内外に通じる間隙５２ｓが形成されている（図７参照）。
【００２０】
図１等に示されるように、下側テーブル板５０は平面視で略矩形の合成樹脂製の板状部材であって、図１０等に示されるように中空に形成されている。下側テーブル板５０の一方の面には平らなテーブル面５６が形成されている。下側テーブル板５０は、格納状態においてテーブル面５６がユニット台座２４を介してバックボード１８に面し、テーブル面５６とは反対側の裏面５６ｒが露出するように配置さている。下側テーブル板５０は、格納状態における下端（基端）５２がヒンジ（以下、説明の便宜上、下側ヒンジと称する場合がある。）５３を介してユニット台座２４の両側部に立設された枠体２６に回動自在に連結されている。下側テーブル板５０は、図６に示される格納状態において下端（基端）５２を回動中心として上端（先端）５４を下方に回動させると、テーブル面５６が上面となった状態でシート背面１４ｂから略水平に後方へ張り出し、図５に示される使用状態へと配置切り替えを行うことができる。逆に、基端５２を回動中心として先端５４を上方に回動させると、図６に示される格納状態へと配置切り替えを行うことができる。下側テーブル板５０の裏面５６ｒは、格納状態において周囲のバックボード１８の形状と調和する面形状として形成されている。
【００２１】
図１０に示されるように、ユニット台座２４は、バックボード１８の表面形状に沿って形成されており、溝１８ｍに対応する溝２４ｍを有する。しかし、該溝２４ｍに面する下側テーブル板５０の基端５２は直線形状として形成されている。そのため、溝２４ｍと下側テーブル板５０の基端５２との間には間隙５２ｓが形成されている。
【００２２】
このテーブルユニット２２には、図１２に示されるように、下側テーブル板５０の先端５４をユニット台座２４の上端２４ａの相対向する位置に係脱可能に係止させることのできるロック機構５８が備えられている。下側テーブル板５０は、該ロック機構５８により先端５４がユニット台座２４の上端２４ａに係止されることによりロックされて格納状態が保持される。
図１２に示されるように、ロック機構５８は、下側テーブル板５０の先端５４に設けられたロック部材６１の先端の爪部６２がユニット台座２４の上端２４ａに設けられた受け部６０に係止することによりロックされる構成とされている。ロック部材６１は、ユニット台座２４の上端２４ａと対向する先端に上方に屈曲形成された爪部６２を備えている。ユニット台座２４の上端２４ａに設けられた受け部６０は門状であり、開口６０ｋに爪部６２を下方から受け入れることのできる向きで配設されている。ロック部材６１はコイルバネ６４により上方へ付勢されており、爪部６２が受け部６０の開口６０ｋに嵌り込んでロック状態が保持されるようになっている。ロック部材６１の基端側には斜面形状部６１ｓが形成されているとともに、下側テーブル板５０の格納状態において裏面５６ｒ側から押圧操作可能な押しボタン部材６６が備えられている。押しボタン部材６６が押圧されると、図１２に二点鎖線で示されるように、押しボタン部材６６の先端がロック部材６１の斜面形状部６１ｓに沿って摺動することにより該ロック部材６１がコイルバネ６４の付勢力に抗して押し下げられる。これにより、爪部６２が受け部６０から外れてロックが解除される。下側テーブル板５０を格納状態から使用状態とするときには、押しボタン部材６６を押圧操作することによりロック機構５８のロックが解除され、下側テーブル板５０の先端５４が自重により下側ヒンジ５３を中心に下方へ回動する。下側ヒンジ５３は、テーブル面５６が略水平となった位置で下方への回動が規制されており、下側テーブル板５０の使用状態が保持される。下側テーブル板５０を使用状態から格納状態とするときには、下側テーブル板５０の先端５４を上方へ回動操作してユニット台座２４の上端２４ａに突き合せる。それにより、爪部６２の前下がりの外面６２ａが受け部６０に当たって摺動してコイルバネ６４の付勢力に抗してロック部材６１が下方へ押し下げられ、爪部６２が受け部６０の開口６０ｋに回り込む。そして、コイルバネ６４の付勢力により爪部６２が受け部６０の開口６０ｋに嵌り込んだ状態が保持されてロック状態となり、下側テーブル板５０の格納状態が保持される。
【００２３】
図４に示されるように、下側テーブル板５０は上下テーブル使用状態におけるシート背面１４ｂからの張り出し長さが上側テーブル板３０よりも長く、図６に示されるように、テーブル構造２０の完全格納状態においてユニット台座２４との間に上側テーブル板３０を収納することが可能となっている。図４に示されるように、下側テーブル板５０は使用状態において後ろ側シートの着座者が該下側テーブル板５０のテーブル面５６の上で作業を行うのに適当な高さ位置に設けられている。そのため、下側テーブル板５０はメインテーブルとして、例えば、携帯情報端末（ＰＤＡ）を載置して操作したり、あるいは読書するのに好適に用いることができる。また、下側テーブル板５０は、使用状態において上側テーブル板３０よりも後方への張り出し長さが長いため、上側テーブル板３０が使用状態であっても下側テーブル板５０における作業性を確保しやすい。一方、上側テーブル板３０は、携帯電話や文房具など小物を載置するなどして利用することができる。
【００２４】
上側テーブル板３０は、平面視では略矩形であるが、図８に示されるように、格納状態における上下方向の中間で鈍角に屈曲形成されている。上側テーブル板３０は、格納状態において屈曲位置より下方にテーブル面３６が設定されており、該テーブル面３６の裏面３６ｒがユニット台座２４を介してバックボード１８に面するように配置されている。図１１に示されるように、上側テーブル板３０は格納状態における上端（基端）３２がヒンジ（以下、説明の便宜上、上側ヒンジと称する場合がある。）３３を介してユニット台座２４の両側部に立設された枠体２６に回動自在に連結されている。上側テーブル板３０は、図８に示される格納状態において、上端（基端）３２を回動中心として下端（先端）３４を上方に回動させると、テーブル面３６が上面となり略水平にシート背面１４ｂから張り出し、図９に示される使用状態へと配置切替えを行うことができる。逆に基端３２を回動中心として先端３４を下方に回動させると、図８に示される格納状態へと配置切替えを行うことができる。
【００２５】
上側テーブル板３０にはテーブル面３６を略水平な状態で支持することのできる支持構造７０を備えられている。図１３に示されるように、上側テーブル板３０の支持構造７０は、シャフト７２とガイド部材８０とを備えている。シャフト７２は一対の支持部７４の一端が回動軸部７６を介して接続形成された略コの字状の棒部材であり、例えば、金属製の丸棒を折り曲げ成形してなる。一対の支持部７４の他端には、お互いに近づく方向に向けて折り曲げられた曲折部７４ａが形成されている。シャフト７２は、一端の回動軸部７６が回動可能にユニット台座２４に支持されており、他端の曲折部７４ａがガイド部材８０に係合している。ガイド部材８０は、上側テーブル板３０の上側テーブル板３０の屈曲箇所よりも基端３２側の裏面３０ｒに一体的に立設されて裏面３０ｒとの間にガイド溝８１を形成している。シャフト７２は、対の曲折部７４ａ，７４ａがガイド部材８０を間において対向した状態でガイド溝８１に差し込まれており、上側テーブル板３０の回動に伴い該曲折部７４がガイド溝８１に沿って摺動することにより上側テーブル板３０の裏面３０ｒに沿って相対移動可能となっている。しかし、ガイド部材８０によるシャフト７２の曲折部７４ａの相対移動経路には、対の曲折部７４ａ，７４ａが互いに離れる方向へ撓まされるカム面８２が形成されている。上側テーブル板３０を図８に示される格納状態から図９に示される使用状態へと配置切替えする場合には、シャフト７２の支持部７４を弾性力に抗して撓ませてガイド部材８０のカム面８２を通過させることのできる所定の大きさ以上の作用力でもって上側テーブル板３０の先端３４を上方へ回動させる。曲折部７４ａがカム面８２を通過したところで、テーブル面３６は略水平となり、ガイド部材８０の規制端８０ａにより、曲折部７４ａの進行方向への移動が移動不能に規制される。一方、曲折部７４ａの戻る方向への移動は、ガイド部材８０のカム面８２により、上記所定の大きさ以上の作用力を加えなければ移動できないよう規制されている。これにより、上側テーブル板３０はテーブル面３６が略水平な使用状態で保持される。上側テーブル板３０を図９に示される使用状態から図８に示される格納状態へと配置切替えする場合には、上記所定の大きさ以上の作用力でもって上側テーブル板３０の先端３４を下方へ回動させることにより、上側テーブル板３０が垂下した格納状態とされる。
【００２６】
図９に示されるように、上側テーブル板３０は、テーブル面３６が略水平とされる使用状態では屈曲箇所よりも基端３２側の上面３０ａは後ろ下がりになる。上側テーブル板３０は、テーブル面３６の設定された先端３４側は相対的に薄く、基端３２側はテーブル面３６の裏面（下面）３６ｒより膨出して相対的に厚く形成されている。上側テーブル板３０は合成樹脂で中空に形成されており、使用状態で後ろ下がりとなる基端３２側の内部空間４２には照明装置４０が組み付けられている。
【００２７】
照明装置４０の光源４４は、その発光が上側テーブル板３０の使用状態で略水平となるテーブル面３６の裏面３６ｒ側に斜め下方に傾斜して後方に指向する状態で組み付けられている。光源４４は、使用状態で後ろ下がりに傾斜する上側テーブル板３０の基端３２側の内部空間４２の先端付近に設けられた取り付け部位４２ａに、該内部空間４２の傾斜方向に沿って発光可能なように取り付けられている。内部空間４２の先端には開口部４２ｋが設けられており、該開口部４２ｋには光拡散レンズ４６が嵌め込まれている。該光拡散レンズ４６を介して光源４４の発光が室内を照明可能とされている。なお、バッテリー等の電源（図示省略）と光源４４とを接続するケーブル４５は、内部空間４２内を基端３２側へ引き込まれている。照明装置４０の光源４４は、限定されるものではないが、例えば、ＬＥＤは、電力消費量が少なく、且つ球切れのおそれが無いため好適に用いることができる。
【００２８】
上側テーブル板３０に付設された照明装置４０によれば、図４に示されるように、上側テーブル板３０の使用状態では後方に指向しているが、上側テーブル板３０が約９０°回動して図７に示されるように格納状態とされると下方に指向することとなる。テーブル構造２０は完全格納状態においての下部に間隙５２ｓが設けられている。照明装置４０は、テーブル構造２０の完全格納状態において上側テーブル板３０に付随して下側テーブル板５０で覆い隠された状態となるが、バックボード１８に設けられた溝１８ｍにより形成された間隙５２ｓから後ろ側シートの着座者の足元を照明することが可能となっている。
【００２９】
この照明装置４０は、テーブル構造２０の配置に対応して照明を制御するとともに、ドアの開動作に対応して照明を制御する照明制御システムを備えている。この照明制御システムによれば、後ろ側シートの着座者が下側テーブル板５０を使用する際に必要に応じて手元を照明するとともに、後ろ側シートの着座者の乗降に際して足元を照明することが可能となっている。
照明装置４０は、上記照明制御システムに関係して、上側テーブル板配置検出手段とドア開動作検出手段とを備えている。上側テーブル板配置検出手段は、上側テーブル板３０が使用状態であるか否かを検出することのできる手段である。上側テーブル板配置検出手段としては、周知のあらゆるセンサ類を使用することができる。ドア開動作検出手段は、後ろ側シートへの乗降に使用されるドア（図示省略）の開動作を検出することのできる手段であり、一般に広く使用されているドアスイッチ等がこれに該当する。このようなドアスイッチは、例えば、ドアの開閉に連動して点灯及び消灯するルームライト等に用いられている。もちろん、ドアの開動作を検出できるのであれば、このようなドアスイッチに限らず、あらゆるセンサ類をドア開動作検出手段として使用することができる。
【００３０】
以下、照明装置４０を備えたテーブル構造２０の発光態様と配置状態とについて説明する。
まず、後ろ側シートの乗員が乗降する際の発光態様と配置状態について説明する。車両のドアが開けられると、ドア開動作検出手段によってドアの開動作が検出される。これにより、照明装置４０が点灯する。通常、乗降の際にはテーブル構造２０は図７等に示される完全格納状態とされており光源４４は下方に指向した状態とされている。光源４４の発光がテーブルユニット２２の下部に設けられた間隙５２ｓを通過し、乗員の足元が照明される。照明装置４０の照明制御システムは、ドアの開動作後所定時間が経過すると消灯するタイマー機構を備えている。該タイマー機構により、所定時間が経過すると照明装置４０が消灯する。
次に、後ろ側シートに着座した乗員がテーブル構造２０を使用する際の配置状態と照明装置４０の発光態様とについて説明する。まず、テーブル構造２０が完全格納状態である場合、押しボタン部材６６が押されるとロック機構５８が解除される。それにより、下側テーブル板５０が自重で回動して使用状態となり、テーブル構造２０は図５に示される下側テーブルのみ使用状態となる。次に、必要に応じて、上側テーブル板３０の先端３４が上方へ回動操作される。それにより、図４に示されるように、上側テーブル板３０が使用状態となり、テーブル構造２０は上下テーブル使用状態となる。上側テーブル板３０が使用状態となると、上側テーブル板配置検出手段により上側テーブル板３０が使用状態であることが検出される。これにより、照明装置４０が点灯する。上側テーブル板３０の使用状態では照明装置４０の光源４４は斜め下方に傾斜して後方に指向した状態とされており、下側テーブル板５０を使用する後ろ側シートの着座者の手元が照明される。テーブル構造２０を使用した後は、先ず、上側テーブル板３０の先端３４を下方へ回動させて、上側テーブル板３０を図４に示される使用状態から図５格納状態へと配置切替えを行う。上側テーブル板３０の回動操作により上側テーブル板３０が使用状態ではなくなると、上側テーブル板配置検出手段により上側テーブル板３０が使用状態でないことが検出される。これにより、照明装置４０が消灯される。次に、下側テーブル板５０の先端５４を上方へ回動させ、図５に示される使用状態から図６に示される格納状態へと配置切替えを行う。ロック機構５８により下側テーブル板５０の先端５４がユニット台座２４の上端２４ａに係止され、下側テーブル板５０の格納状態が保持され、テーブル構造２０は完全格納状態となる。
【００３１】
以上の構成のシート１０に備えられたテーブル構造２０によれば以下の作用効果を奏する。
照明装置４０は、上側テーブル板３０の裏面３０ｒ側に設けられており、上側テーブル板３０を使用状態とすることにより下側テーブル板５０の使用者の手元は確実に照らすことが可能であるが、上側テーブル板３０がシェード代わりとなるため上側テーブル板３０の使用者の目には直接光は入りにくく眩しさを軽減することが可能である。
また、このテーブル構造２０は上側テーブル板３０に備えられた照明装置４０の点灯時もその上面３６はテーブル面として使用することができるため、テーブル面の面積をより広く確保することが可能であるとともに、上側テーブル板３０と下側テーブル板５０とをそれぞれ異なる用途で使用することも可能となっている。
また、上側テーブル板３０の配置により照明装置４０による照射方向が変更され、使用状態では後ろ側シートの着座者の手元を照明し、格納状態では足元を照明して乗降時の足元の視認性を向上させることができる。
また、テーブル構造２０は予めテーブルユニット２２として組み立てられてバックボード１８に取り付けられるため、取り付け手順の単純化を図ることが可能である。
【００３２】
なお、本発明は上記の実施形態に限定されず、本発明の要旨を逸脱しない範囲内でその他種々の実施形態が考えられるものである。
例えば、上記実施形態においては、上側テーブル板３０の配置状態の保持に関して支持構造７０を例示するとともに、下側テーブル板５０の配置状態の保持に関してロック機構５８を例示したが、上下のテーブル板３０，５０の配置状態の保持方法はこれに限定されるものではない。例えば、テーブル板３０，５０を一定方向に回動させる際に作用する力の方向を切替える、所謂ターンオーバー機構により配置状態を保持させる構成としてもよい。ここでいうターンオーバー機構とは、テーブル板３０，５０を格納状態から一方向に回動させ所定角度に至ると、その回動方向に付勢されて使用状態へと切り替わり、該付勢力により使用状態の配置が保持され、該付勢力に抗して他方向に回動させ所定角度に至ると該他方向に付勢されて格納状態に切り替わり、該付勢力により格納状態が保持されるメカニズムのことである。
また、上記実施形態においては、完全格納状態において上側テーブル板３０が下側テーブル板５０で覆い隠される構成とされていたが、完全格納状態において下側テーブル板５０が上側テーブル板３０に覆い隠される構成としてもよいし、上側テーブル板３０と下側テーブル板５０とが重なり合わない構成としてもよい。
また、照明装置４０の発光態様の切替え制御は上記実施形態として例示した照明制御システムに限定されるものではなく、適宜設定することができる。例えば、使用者がスイッチ操作により手動で点灯・消灯を切替えることのできる構成としてもよい。
【図面の簡単な説明】
【００３３】
【図１】本発明の実施形態に係る車両用シートの斜視図であり、上下テーブル使用状態を示す図である。
【図２】本発明の実施形態に係る車両用シートの斜視図であり、下側テーブルのみ使用状態を示す図である。
【図３】本発明の実施形態に係る車両用シートの斜視図であり、完全格納状態を示す図である。
【図４】図１に示される車両用シートのＩＶ−ＩＶ線断面図である。
【図５】図２に示される車両用シートのＶ−Ｖ線断面図である。
【図６】図３に示される車両用シートのＶＩ−ＶＩ線断面図である。
【図７】図３に示される車両用シートのＶＩＩ−ＶＩＩ線断面図である。
【図８】図７に示される格納状態の上側テーブル板を拡大して示す断面図である。
【図９】図８に示される上側テーブル板の使用状態を示す図８に対応する断面図である。
【図１０】図３に示される車両用シートのＸ−Ｘ線断面図である。
【図１１】図３に示される車両用シートのＸＩ−ＸＩ線断面図である。
【図１２】図７に示されるＸＩＩ部分を拡大して示す断面図である。
【図１３】本発明の実施形態に係る上側テーブル板の支持構造の斜視図である。
【符号の説明】
【００３４】
１０  （車両用）シート
１４  シートバック
１４ｂ      シート背面
１８  バックボード
１８ｍ      溝
１９  凹部
２０  テーブル構造
２２  テーブルユニット
２４  ユニット台座
２４ｍ      溝
３０  上側テーブル板
３０ｒ      裏面（下面）
３２  基端
３４  先端
３６  テーブル面
４０  照明装置
４４  光源
５０  下側テーブル板
５２  基端
５２ｓ      間隙
５４  先端
５６  テーブル面
【図１】
2010111345.tif 000003
【図２】
2010111345.tif 000004
【図３】
2010111345.tif 000005
【図４】
2010111345.tif 000006
【図５】
2010111345.tif 000007
【図６】
2010111345.tif 000008
【図７】
2010111345.tif 000009
【図８】
2010111345.tif 000010
【図９】
2010111345.tif 000011
【図１０】
2010111345.tif 000012
【図１１】
2010111345.tif 000013
【図１２】
2010111345.tif 000014
【図１３】
2010111345.tif 000015